(57)【要約】      （修正有）【課題】高速運動の際に回転することがなく、独自の動きを実現するルアーを提供する。【解決手段】一つの面を凸面、反対側の面を平面ないし凹面としたタブレット状のパーツを、凸面が互い違いに交互に並ぶように列ね、パーツ面の接続部を細く括れた形状とする。【選択図】図１
0003169323.tif 000002
【実用新案登録請求の範囲】
【請求項１】
一つの面を凸面、反対側の面をおよそ平面ないしは凹面としたおよそタブレット状のパーツを、凸面が互い違いに交互に並ぶように列ねた形状のルアー。
【請求項２】
タブレット状のパーツとパーツの接続部を細く括れた形状とした請求項１に記載のルアー。
【請求項３】
凸面の凸の程度を小さくして凸の高さよりもその横幅が広い形で扁平にした請求項１に記載のルアー。
【考案の詳細な説明】
【技術分野】
【０００１】  本考案は釣り具のルアーに関する。
【背景技術】
【０００２】  本考案は、扁平なワーム系ルアーと細長いタイプのスプーンないしジグをその背景技術とする。
【考案の概要】
【考案が解決しようとする課題】
【０００３】  扁平なルアーには回転しがちな傾向がある。特にロッドアクションのツイッッチやジャークと呼ばれる操作、あるいはルアー回収の際の高速リトリーブなどで高速の運動をすると激しく回転して糸が縒れる。それを防止することと、同時に独自の水中での動きと姿勢を実現することが本考案の課題である。
【課題を解決するための手段】
【０００４】  凸面１が互い違いに交互に並ぶように連ねた形状のボディとする。およそタブレット状のパーツを列ねたような形状とし、パーツの形について、片面が凸面１で、反対の面はおよそ平面２あるいは窪んだ状態の凹面４とする。
【考案の効果】
【０００５】  回転することがなくなる。特に、高速で動くほどに、その動きは安定して直線的となり、回転することがない。ゆっくりとしたリトリーブにおいては、ゆらゆらと揺れたり時に回転したりするのであるが、高速運動の際には回転しない。おそらく上記の形状が、流体力学的に高速運動時の安定をもたらすような作用をもつものと思われる。そして糸が縒れることがない。同時に、魚を誘う動きも蛇行運動と直線運動を組み合わせた独特のものとなる。括れ部３を細くあるいは薄くすると高速運動時にひらひらとボディを波打たせるような動きが現れる。その際にも回転はしない。
【図面の簡単な説明】
【０００６】
【図１】  本考案の斜視図
【図２】  本考案の実施例を示す側面図
【図３】  本考案の実施例を示す平面図
【図４】  本考案の実施例を示す正面図
【図５】  本考案の別の実施例を示す斜視図
【考案を実施するための形態】
【０００７】  片面が凸面１、反対側の面がおよそ平面２あるいは凹面４であるタブレット状のパーツを、凸面１が互い違いに交互に並ぶように列ねた形態とする。パーツを縦長としたほうが水中でのゆらゆらとした動きが良いように観察される。逆に一つのパーツが短い、あるいは長さより幅のほうが広い形状となると直線的な動きとなりがちである。どちらの場合も回転を防止する効果はある。ただし、極端に短い状態、たとえば１ｍｍ以下とかだと、流体力学的な効果が薄れるものと思われる。そこで、ダブレットすなわち錠剤程度を目安とする。錠剤にも丸いものや楕円形のものなど様々な形、大きさ、厚さなどがあるが、基本的な概念的な目安としては外れていないと思われる
パーツを列ねる個数については、二個以上であれば効果が得られる。
また、凸面の形状については、様々ありうるのであるが、その輪郭において凸であれば、基本的な効果におよそ変わりはない。タブレット状のパーツのシンプルな形状として、半円柱形、半楕円球などがある。平面の側をさらに窪ませて凹面４としても効果は変わらないか、あるいはむしろ効果が向上するように観察される。
さらに、凸面１の形状について、かならずしも曲面である必要はない。極端な状態においては、直方体でもよい。その場合、全体の形状は、直方体を幾分かずらせて上、下、上、下と一つおきに段違いとなるように列ねた形状となる。
パーツとパーツの接続部に細く括れた部分、括れ部３を設ける。こうすることで、回転を防止する効果が高まるとともに、ボディがしなやかとなり、水中でのゆらゆらとした動きも大きくなると観察される。ボディのしなやかさは、人間の目には定かに認識できない領域であっても、魚には効果を発揮しているかもしれないし、実際の釣りの場においてそのような印象を持つ。ソフトルアーにおいては、左右から括れるばかりでなく、その部分を薄くすることでゆらゆらとした動きが大きくなり、また高速運動の際には、ボディを波打たせるような振動運動が発生するようになり、それも魚を誘う効果を高めるものと思われる。
本考案は凸部１を交互に配置することが要点なのであるが、括れ部３を設けるだけでも、回転を防止する効果はある。
タブレット状のパーツを列ねるという言い方で、考案の形態を説明したのであるが、テープ状ないしはリボン状のシートの上に、その向きが交互になるように凸状のパーツを配置していくというような言い方、あるいは実際にそのような作り方もありうる。
上記の形態は、第一にソフトルアーすなわち柔軟な素材によるルアーを念頭においたものであるが、プラグタイプのハードルアーや金属製などのスプーンにも摘要可能であり、実際に実用的である。
【実施例】
【０００８】  図１に示す。パーツの形状を半円柱形として、凸面１が互い違いになるように列ねた形状である。凸面の反対の面は平面２である。この面をさらに窪ませて凹面としてもよい。
使用にあたっては、太さが２ｍｍから３ｍｍほどの針金状の鉛を５ｍｍほどの長さに切り、すなわちそれをネイルシンカーとして、本考案の末端などに差し込んで用いる。２本のネイルシンカーを末端に左右対称となるように差し込み、その間にフックをセットすると使いやすく、水中姿勢も良いと思われる。この使用法においては、ルアーはいわば水平に横になったような状態で水中に漂い移動するのであるが、この状態でのヒラヒラした感じが、魚に対するアピールとして効果的なのではないかとも思われる。シンカーを用いない状態が最もヒラヒラするはずであるが、あまりにも軽いのでシンカーを用いる。キャストのしにくさを苦にしないならば、ノーシンカーの状態で使用するのが最も効果的なのかもしれない。あるいはテキサスリグなど、現在ソフトルアーの様々な使い方があるので、それに従い用いる。
図１およびその他の図に示した形状は、どれも実際のエサに似せた形状ではないが、これで釣れる。本考案の機能を損なわないで、虫や魚など、なんらかの生物に似せることも可能と思われる。【０００９】  図２、図３、図４に示す。タブレットの四隅を丸めたような形状、あるいは半楕円球のような形状であり、ダブレットとダブレットの接続部に括れ部３が存在する。括れ部３は、ルアーの動きをよりしなやかにするとともに、回転を防止することにも寄与する。
括れ部３を細く薄くすると動きが良くなるのであるが、全体としても薄いほうが動きが良い。扁平なルアーは、回転しがち、あるいは実際のところ絶対に回転するものであったのであるが、本考案においては、扁平でしなやかであることと回転しないことを同時に実現した。【００１０】  ネイルシンカーを片側に寄せて配置することにより、水中姿勢を縦にして用いることもできる。つまり、図３の平面図に示した状態において、紙面の上が水中において上となる姿勢である。
その場合左右の対称性はくずれるのであるが、ルアーのおおまかな輪郭を魚に似せるなどの形状にすることは可能であり、そうすることで非対称の違和感を緩和できるかもしれない。【００１１】  図２、図３、図４に示した形状は、図４の正面図の通り、横に扁平なのであるが、この形状から変化させて、横幅を縮めて縦に伸ばした形状とする。そして水中における姿勢を縦として使用する。横からみると、ボディがパーツごとに上下にずれた状態となる。この形状においても、回転を防止する効果が得られる。この場合においても、括れ部を設けることは有効であり、また、それに加えて楔形などの切り欠き部を設けると、回転を防止する効果は高まる。【００１２】  末端の形状について、両端が同じ形である必要はない。一方を頭部として、幾分か太めにして、もう一方の端を尾部として細めにしたりさらに薄くしたり、あるいはなんらかの尻尾のような形状としたりすることも可能である。頭部を太めにするとネイルシンカーを装着しやすくなる。また尾部を薄くすると、ヒラヒラとした感じが強まり、魚に対して効果的な誘いとなることが期待できる。【００１３】  本考案は、一つの単位となるパーツを列ねた構造をしているため、基本的に幾らでも長くできる。それを利点として活かすならば、製作時においては、長く作っておいて、使用時に好きな長さに切って用いるということもありうる。狙う魚のサイズや、魚の活性などを見極めながら、ルアーのサイズを変えることができるので、むしろ、長く作っておくことが合理的であるかもしれない。切る場所は、必ずしもパーツの接続部である必要はない。凸面の向きが逆になっている部分が一組存在すれば基本的に本考案の機能は保たれる。【００１４】  図５に示す。スプーンである。基本単位となるパーツは、パイプを縦に半分にしたような形状、あるいは水を流す樋のような形状をしている。全体としては、そのパーツを凸面１が互い違いになるように列ねた形状である。あるいは、製作の手順で説明すると、細長いおよそ長方形のプレートを基本形として、まず、その両長辺上に両側から対称となるようにおよそ楔形の切り欠き部を設ける。そして切り欠き部を境とする各部分を凸面１が互い違いになるように湾曲させる。切り欠いたところが括れ部３となる。
機能的には、柔軟な素材で作ったソフトルアーの場合と同様なのであるが、その効果は一層明確に現れる。ゆっくり動くときには、ヒラヒラと動き、速く動くときには直線的に動く。速い動きで回転することがないという機能は、スプーンとしては極めて実用的価値が高いものと思われる。また、極めてゆっくりしたリトリーブでも良く動くので、高速時に回転しないということばかりでなく、スプーンとしての本質的な機能としても高度であると思われる。
この形状に肉付けするような形で、木や樹脂などで成形したプラグタイプとしても似たような動きが期待される。大型化したり、浮力を加減したい場合にはプラグタイプとするのが良い。
ラインアイ５とフックアイ６を設ける。
【産業上の利用可能性】
【００１５】  水中において高速であるほどに安定するという性質から、高速で走る船などを安定させることに利用できないものかと期待する。スクリュウ、ラダー、飛行機のプロペラや羽根の形状、あるいは表面の形状に利用できないものかと考える。
【符号の説明】
【００１６】１  凸面
２  平面
３  括れ部
４  凹面
５  ラインアイ
６  フックアイ
【図１】
0003169323.tif 000003
【図２】
0003169323.tif 000004
【図３】
0003169323.tif 000005
【図４】
0003169323.tif 000006
【図５】
0003169323.tif 000007